(57)【要約】【課題】無電極放電灯の大型化や長尺化を図りながらも、安定な出力が得られ、回路部品にかかる電気的なストレスが小さく、且つ、高い発光効率を維持することが可能な無電極放電灯点灯装置およびそれを用いた照明器具を提供する。【解決手段】放電ガスが封入されたバルブ１を具備する無電極放電灯１６を点灯させる無電極放電灯点灯装置であって、高周波電流が通電されることにより高周波電磁界を発生させる複数の誘導コイル４と、複数の誘導コイル４への通電を交互に切り替える切替部２９とを設ける。【選択図】図１
2012074154.tif 000002
【特許請求の範囲】
【請求項１】
放電ガスが封入されたバルブを具備する無電極放電灯を点灯させる無電極放電灯点灯装置であって、高周波電流が通電されることにより高周波電磁界を発生させる複数の誘導コイルと、前記複数の誘導コイルへの通電を交互に切り替える切替部とを設けてなることを特徴とする無電極放電灯点灯装置。
【請求項２】
請求項１記載の無電極放電灯点灯装置を備えてなることを特徴とする照明器具。
【発明の詳細な説明】
【技術分野】
【０００１】
本発明は、無電極放電灯点灯装置およびそれを用いた照明器具に関するものである。
【背景技術】
【０００２】
従来から、透光性のバルブに放電ガスである希ガス（例えば、アルゴンガス、クリプトンガスなど）および水銀が封入された無電極放電灯が知られている。また、上述の無電極放電灯と、高周波電流が通電されることにより高周波電磁界を発生させる誘導コイルとを備えた無電極放電灯点灯装置が提案されている（例えば、特許文献１参照）。また、特許文献１には、上述の無電極放電灯点灯装置を備えた照明器具も提案されている。
【０００３】
特許文献１に開示された無電極放電灯点灯装置は、例えば、図５に示すように、交流電源５３を電源として直流電力を生成する直流電源部５０と、直流電源部５０の出力端間に接続された２つのスイッチング素子Ｑ１，Ｑ２の直列回路と両スイッチング素子Ｑ１，Ｑ２を交互にオンする駆動部５１とで構成されたスイッチング部５２とを備えている。
【０００４】
また、図５に示した構成の無電極放電灯点灯装置は、２つの無電極放電灯Ｌａ１，Ｌａ２にそれぞれ近接配置される誘導コイル５４，５５を具備する２つの共振負荷部５６，５７と、駆動部５１が両スイッチング素子Ｑ１，Ｑ２を交互にオンする周波数（以下、動作周波数と称する）を制御する制御部５８とを備えている。
【０００５】
共振負荷部５６，５７は、それぞれ異なる共振周波数ｆｒ１，ｆｒ２（図６参照）となるように構成されており、共振負荷部５６の共振周波数ｆｒ１は、共振負荷部５７の共振周波数ｆｒ２よりも高く設定されている。また、共振負荷部５６，５７は、無電極放電灯Ｌａ１，Ｌａ２の点灯を維持するために最低限必要な電力Ｗｏｆｆ（図６参照）以上の電力が供給され、各無電極放電灯Ｌａ１，Ｌａ２を点灯維持することが可能な周波数の範囲それぞれが互いに重ならないように構成されている。なお、図６中に示す矢印Ａ１は、無電極放電灯Ｌａ１を点灯維持することが可能な周波数の範囲（ｆｌ１〜ｆｈ１）を示し、図６中に示す矢印Ａ２は、無電極放電灯Ｌａ２を点灯維持することが可能な周波数の範囲（ｆｌ２〜ｆｈ２）を示す。
【０００６】
制御部５８は、図７に示すように、駆動部５１（図５参照）が両スイッチング素子Ｑ１，Ｑ２（図５参照）を交互にオンする動作周波数を、各共振周波数ｆｒ１，ｆｒ２を含む掃引周波数の範囲内で掃引を繰り返す。また、制御部５８は、動作周波数の掃引を１秒間に１００回以上繰り返す。なお、図６および図７中に示す矢印Ａ３は、各共振周波数ｆｒ１，ｆｒ２を含む掃引周波数の範囲を示す。
【０００７】
また、特許文献１には、無電極放電灯の高出力化に伴う無電極放電灯の大型化や長尺化を図るために、図８に示すように、１つの無電極放電灯Ｌａ３に２つの誘導コイル５４，５５を近接配置するようにした無電極放電灯点灯装置が例示されている。
【先行技術文献】
【特許文献】
【０００８】
【特許文献１】特開２００６−３０２８３８号公報
【発明の概要】
【発明が解決しようとする課題】
【０００９】
ところで、図８に示した構成の無電極放電灯点灯装置では、駆動部５１が両スイッチング素子Ｑ１，Ｑ２を交互にオンする動作周波数を、各共振周波数ｆｒ１，ｆｒ２を含む掃引周波数の範囲Ａ３（図７参照）内で掃引を繰り返すことによって、無電極放電灯Ｌａ３を点灯させることが可能となる。また、図８に示した構成の無電極放電灯点灯装置では、制御部５８が、動作周波数の掃引を１秒間に１００回以上繰り返すことで、無電極放電灯Ｌａ３の点灯中のちらつきを抑制することが可能となる。
【００１０】
しかしながら、図８に示した構成の無電極放電灯点灯装置では、無電極放電灯Ｌａ３を点灯させることができるが、駆動部５１が両スイッチング素子Ｑ１，Ｑ２を交互にオンする動作周波数を、各共振周波数ｆｒ１，ｆｒ２を含む掃引周波数の範囲Ａ３内で掃引を繰り返すので、各共振負荷部５６，５７にそれぞれ供給される高周波電力の大きさを調整することが難しく、無電極放電灯Ｌａ３から放射される可視光の出力を調整することが困難となる。また、図８に示した構成の無電極放電灯点灯装置では、当該無電極放電灯点灯装置を構成する回路部品の特性のばらつきに起因して、無電極放電灯Ｌａ３から放射される可視光の出力にばらつきが発生する。さらに、図８に示した構成の無電極放電灯点灯装置では、駆動部５１が両スイッチング素子Ｑ１，Ｑ２を交互にオンする動作周波数を、各共振周波数ｆｒ１，ｆｒ２を含む掃引周波数の範囲Ａ３内で掃引を繰り返す際に、無電極放電灯点灯装置を構成する回路部品にかかる電気的なストレスが大きくなるので、耐圧性能や耐大電流性能のよい回路部品を採用する必要があり、コストアップの要因となる。
【００１１】
本発明は上記事由に鑑みて為されたものであり、その目的は、無電極放電灯の大型化や長尺化を図りながらも、安定な出力が得られ、回路部品にかかる電気的なストレスが小さく、且つ、高い発光効率を維持することが可能な無電極放電灯点灯装置およびそれを用いた照明器具を提供することにある。
【課題を解決するための手段】
【００１２】
本発明の無電極放電灯点灯装置は、放電ガスが封入されたバルブを具備する無電極放電灯を点灯させる無電極放電灯点灯装置であって、高周波電流が通電されることにより高周波電磁界を発生させる複数の誘導コイルと、前記複数の誘導コイルへの通電を交互に切り替える切替部とを設けてなることを特徴とする。
【００１３】
本発明の照明器具は、前記無電極放電灯点灯装置を備えてなることを特徴とする。
【発明の効果】
【００１４】
本発明の無電極放電灯点灯装置においては、無電極放電灯の大型化や長尺化を図りながらも、安定な出力が得られ、回路部品にかかる電気的なストレスが小さく、且つ、高い発光効率を維持することが可能となる。
【００１５】
本発明の照明器具においては、無電極放電灯の大型化や長尺化を図りながらも、安定な出力が得られ、回路部品にかかる電気的なストレスが小さく、且つ、高い発光効率を維持することが可能な前記無電極放電灯点灯装置を備えた照明器具を提供することができる。
【図面の簡単な説明】
【００１６】
【図１】実施形態の無電極放電灯点灯装置の概略説明図である。
【図２】同上の無電極放電灯点灯装置の回路図である。
【図３】同上の無電極放電灯点灯装置の動作説明図である。
【図４】同上の無電極放電灯点灯装置を備えた照明器具を示す概略側面図である。
【図５】従来例における無電極放電灯点灯装置の回路図である。
【図６】同上の無電極放電灯点灯装置において、動作周波数と共振負荷部に供給される高周波電力との関係を示す説明図である。
【図７】同上の無電極放電灯点灯装置における動作周波数の説明図である。
【図８】同上の無電極放電灯点灯装置の他の構成例を示す概略説明図である。
【発明を実施するための形態】
【００１７】
以下、本実施形態の無電極放電灯点灯装置に用いられる無電極放電灯を説明した後に、本実施形態の無電極放電灯点灯装置を、図１および図２を参照しながら説明する。
【００１８】
本実施形態の無電極放電灯点灯装置に用いられる無電極放電灯は、図１に示すように、放電ガスである不活性ガス（例えば、ネオンガスなど）および水銀蒸気が封入された管体を閉ループ状の形としたバルブ１と、バルブ１の内側に配置された磁性体からなるコア１１とを備えている。なお、バルブ１に封入された不活性ガスは、ネオンガスに限らず、例えばアルゴンガス、クリプトンガス、キセノンガスなどであってもよい。また、バルブ１に封入された水銀蒸気に代えて、例えばナトリウム、カドミウム、亜鉛などの金属蒸気を封入してもよい。
【００１９】
バルブ１は、透光性材料であるガラスなどで形成されており、バルブ１の内壁面側に、高周波電磁界の作用による不活性ガスの放電により発生した紫外線を可視光に変換する蛍光体膜（図示せず）が設けられている。
【００２０】
コア１１は、例えば亜鉛、マンガン、ニッケル、鉄などの金属化合物で形成されている。
【００２１】
本実施形態の無電極放電灯点灯装置は、無電極放電灯１６のコア１１の少なくとも一部に巻回されて高周波電流が通電されることで高周波電磁界を発生させる複数（図１では、２個）の誘導コイル４と、各誘導コイル４に高周波電流を通電してバルブ１内にプラズマＰ１を発生させる主点灯回路部１４とを備えている。
【００２２】
各誘導コイル４は、例えば、めっき線やリッツ線などで形成されている。また、各誘導コイル４は、バルブ１内に発生するプラズマＰ１が広く分布できるように配置されている。なお、主点灯回路部１４と一方の誘導コイル４（以下、説明の便宜上、第１のコイル４ａと称することもある）とは、第１の電線１５ａを介して電気的に接続されており、主点灯回路部１４と他方の誘導コイル４（以下、説明の便宜上、第２のコイル４ｂと称することもある）とは、第２の電線１５ｂを介して電気的に接続されている。さらに、図１に示した構成の無電極放電灯点灯装置では、誘導コイル４を２つ備えているが、誘導コイル４の個数はこれに限らず、３つ以上備えてもよい。
【００２３】
ここで、主点灯回路部１４から供給される高周波電力の大きさ、高周波電流の周波数、第１のコイル４ａおよび第２のコイル４ｂの巻き数や巻き方向は、バルブ１内にプラズマＰ１が発生し且つ維持されるように設定されている。例えば、主点灯回路部１４から供給される高周波電力が３００Ｗ、高周波電流の周波数が１３５ｋＨｚ程度、第１のコイル４ａおよび第２のコイル４ｂの巻き数が３０ターン、第１のコイル４ａおよび第２のコイル４ｂの巻き方向は右回りもしくは左回りどちらであっても構わない。
【００２４】
以下、本実施形態の無電極放電灯点灯装置の主点灯回路部１４について、図２を参照しながら説明する。なお、図１に示した構成の無電極放電灯点灯装置と同様の構成要素には同一の符号を付して説明する。
【００２５】
主点灯回路部１４は、図２に示すように、交流電源１９を電源として直流電力を生成する直流電源部２０と、直流電源部２０の出力端間に接続された２つのスイッチング素子Ｑ１，Ｑ２を交互にオンする駆動部２１を具備するスイッチング部２２とを備えている。
【００２６】
また、図２に示した構成の主点灯回路部１４は、無電極放電灯１６に近接配置された第１のコイル４ａおよび第２のコイル４ｂに接続された共振回路部２４と、駆動部２１が両スイッチング素子Ｑ１，Ｑ２を交互にオンするための周波数（以下、動作周波数と称する）を制御する制御部２５とを備えている。
【００２７】
さらに、図２に示した構成の主点灯回路部１４は、第１のコイル４ａと第２のコイル４ｂとの一方に交互に供給される高周波電力が所定の電力になるように動作周波数を制御するフィードバック回路部２６を備えている。
【００２８】
直流電源部２０は、交流電源１９から供給された交流電圧を全波整流するダイオードブリッジ２７と、ダイオードブリッジ２７で全波整流された交流電圧を平滑する平滑コンデンサＣ１と、ダイオードブリッジ２７の高電位側の出力端と平滑コンデンサＣ１のプラス側との間に接続されたインダクタＬ１とダイオードＤ１とで構成された直列回路と、インダクタＬ１とダイオードＤ１との接続点にドレイン側が接続され、ソース側が接地されたＭＯＳＦＥＴなどの半導体スイッチからなるスイッチング素子Ｑ３と、スイッチング素子Ｑ３のゲート側に接続されスイッチング素子Ｑ３をオンオフすることで平滑コンデンサＣ１の両端間の電圧ＶＤＣを制御する電圧制御部２８とを備える昇圧回路である。なお、ダイオードブリッジ２７の低電位側および平滑コンデンサＣ１のマイナス側はそれぞれ接地されている。
【００２９】
共振回路部２４は、第１のコイル４ａおよび第２のコイル４ｂの一端側に接続されたインダクタＬｓ１とコンデンサＣｓ１とで構成された直列回路と、インダクタＬｓ１とコンデンサＣｓ１との接続点に高電位側が接続され、低電位側が接地されたコンデンサＣｐ１と、コンデンサＣｐ１の低電位側と第１のコイル４ａおよび第２のコイル４ｂの他端側とに接続され、第１のコイル４ａおよび第２のコイル４ｂへの通電を交互に切り替える切替部２９とを備えている。
【００３０】
切替部２９は、ＭＯＳＦＥＴなどの半導体スイッチで構成され、第１のコイル４ａおよび第２のコイル４ｂへの通電を交互に切り替える周波数（切替え周波数）が、数百Ｈｚ〜数ｋＨｚとなるように設定されている。
【００３１】
スイッチング部２２は、直流電源部２０の平滑コンデンサＣ１の両端間に接続されたＭＯＳＦＥＴなどの半導体スイッチからなるスイッチング素子Ｑ１およびスイッチング素子Ｑ２で構成された直列回路と、スイッチング素子Ｑ１およびスイッチング素子Ｑ２のゲート側にそれぞれ接続された駆動部２１とを備えている。なお、スイッチング素子Ｑ１とスイッチング素子Ｑ２との接続点は、共振回路部２４のインダクタＬｓ１に接続されている。
【００３２】
制御部２５は、出力する電流Ｉｓｗに応じた周波数で両スイッチング素子Ｑ１，Ｑ２を交互にオンする駆動部２１を制御する周波数制御部３０と、例えばＰＷＭ信号を出力するＰＷＭ回路からなる電流供給部３１とを備えている。
【００３３】
周波数制御部３０は、ダイオードＤ２と抵抗Ｒ３とで構成された直列回路を介して、オペアンプＯＰ１の出力端子に接続されている。オペアンプＯＰ１のマイナス側の入力端子（反転入力端子）は、コンデンサＣ３と抵抗Ｒ４とで構成された並列回路を介して、オペアンプＯＰ１の出力端子に接続されている。また、オペアンプＯＰ１の反転入力端子は、抵抗Ｒ５を介して接地されている。オペアンプＯＰ１のプラス側の入力端子（非反転入力端子）には、高電位側が接続されたコンデンサＣ２が接続されている。
【００３４】
電流供給部３１は、抵抗Ｒ１と抵抗Ｒ２とで構成された直列回路を介して接地されている。また、抵抗Ｒ１と抵抗Ｒ２との接続点は、コンデンサＣ２の高電位側に接続されている。なお、電流供給部３１は、直流電源部２０のコンデンサＣ１のプラス側に接続されており、コンデンサＣ２を充電可能となっている。
【００３５】
コンデンサＣ２の両端間には、抵抗Ｒ６とＭＯＳＦＥＴなどの半導体スイッチからなるスイッチング素子Ｑ４とで構成された直列回路が接続されている。スイッチング素子Ｑ４のゲート側は、抵抗Ｒ７とダイオードＤ３とで構成された直列回路を介して、周波数制御部３０に接続されている。また、スイッチング素子Ｑ４のゲート側と抵抗Ｒ７との接続点は、抵抗Ｒ８を介して接地されている。なお、スイッチング素子Ｑ４は、電流供給部３１から出力されるＰＷＭ信号がローレベルの場合に、周波数制御部３０から出力される制御電流Ｉｏｎによってオンされる。
【００３６】
フィードバック回路部２６では、制御部２５のダイオードＤ２と周波数制御部３０との接続点が、ダイオードＤ４と抵抗Ｒ８とで構成された直列回路を介して、オペアンプＯＰ２の出力端子に接続されている。また、オペアンプＯＰ２の出力端子は、抵抗Ｒ９とコンデンサＣ４とで構成された並列回路を介して、オペアンプＯＰ２のマイナス側の入力端子（反転入力端子）に接続されている。さらに、オペアンプＯＰ２のプラス側の入力端子（非反転入力端子）には、所定の基準電圧を供給する直流電源Ｖｒ１が接続されている。また、コンデンサＣ４とオペアンプＯＰ２の反転入力端子との接続点は、抵抗Ｒ１０を介して、スイッチング部２２のスイッチング素子Ｑ２のソース側と共振回路部２４に供給される電圧を検出するための検出抵抗Ｒｄとの接続点に接続されている。
【００３７】
以下、本実施形態の無電極放電灯点灯装置の動作を、図２を参照しながら説明する。
【００３８】
本実施形態の無電極放電灯点灯装置は、制御部２５の電流供給部３１から出力されるＰＷＭ信号がハイレベルの場合に、抵抗Ｒ１と抵抗Ｒ２とで分圧された電圧によって、コンデンサＣ２が充電される。コンデンサＣ２が充電されると、オペアンプＯＰ１から出力される出力電圧が徐々に上昇する。オペアンプＯＰ１から出力された出力電圧が徐々に上昇すると、周波数制御部３０から出力される電流Ｉｓｗの電流量が減少する。周波数制御部３０から出力される電流Ｉｓｗの電流量が減少すると、第１のコイル４ａと第２のコイル４ｂとの一方に交互に供給される動作周波数が徐々に低くなり、第１のコイル４ａと第２のコイル４ｂとの一方に交互に供給される高周波電力が徐々に高くなる。
【００３９】
一方、本実施形態の無電極放電灯点灯装置は、制御部２５の電流供給部３１から出力されるＰＷＭ信号がローレベルの場合に、抵抗Ｒ２を介してコンデンサＣ２が放電される。コンデンサＣ２が放電されると、オペアンプＯＰ１から出力される出力電圧が徐々に下降する。オペアンプＯＰ１から出力された出力電圧が徐々に下降すると、周波数制御部３０から出力される電流Ｉｓｗの電流量が増加する。周波数制御部３０から出力される電流Ｉｓｗの電流量が増加すると、第１のコイル４ａと第２のコイル４ｂとの一方に交互に供給される動作周波数が徐々に高くなり、第１のコイル４ａと第２のコイル４ｂとの一方に交互に供給される高周波電力が徐々に低くなる。ここにおいて、制御部２５のスイッチング素子Ｑ４は、周波数制御部３０から出力される制御電流Ｉｏｎによってオンされることで、コンデンサＣ２が抵抗Ｒ６を介して放電される。
【００４０】
したがって、本実施形態の無電極放電灯点灯装置は、制御部２５のコンデンサＣ２が充放電を繰り返すことによって、第１のコイル４ａと第２のコイル４ｂとの一方に交互に高周波電力が供給され、無電極放電灯１６が点灯する。
【００４１】
ここで、フィードバック回路部２６は、第１のコイル４ａと第２のコイル４ｂとの一方に交互に供給される高周波電力が直流電源Ｖｒ１の上記基準電圧よりも高くなると、フィードバック回路部２６のオペアンプＯＰ２から出力される出力電圧が徐々に下降し、周波数制御部３０から出力される電流Ｉｓｗの電流量を増加させるように作用する。周波数制御部３０から出力される電流Ｉｓｗの電流量が増加すると、第１のコイル４ａと第２のコイル４ｂとの一方に交互に供給される動作周波数が徐々に高くなり、第１のコイル４ａと第２のコイル４ｂとの一方に交互に供給される高周波電力が徐々に低くなる。また、フィードバック回路部２６は、第１のコイル４ａと第２のコイル４ｂとの一方に交互に供給される高周波電力が直竜電源Ｖｒ１の上記基準電圧よりも低くなると、フィードバック回路部２６のオペアンプＯＰ２から出力される出力電圧が徐々に上昇し、周波数制御部３０から出力される電流Ｉｓｗの電流量を減少させるように作用する。周波数制御部３０から出力される電流Ｉｓｗの電流量が減少すると、第１のコイル４ａと第２のコイル４ｂとの一方に交互に供給される動作周波数が徐々に低くなり、第１のコイル４ａと第２のコイル４ｂとの一方に交互に供給される高周波電力が徐々に高くなる。したがって、フィードバック回路部２６は、第１のコイル４ａと第２のコイル４ｂとの一方に交互に供給される高周波電力が所定の電力になるように動作周波数を制御することが可能となる。その結果、本実施形態の無電極放電灯点灯装置は、当該無電極放電灯点灯装置を構成する回路部品の特性のばらつきに起因して無電極放電灯１６から放射される可視光の出力のばらつきを抑制し、無電極放電灯１６の安定な光出力が得られる。また、本実施形態の無電極放電灯点灯装置は、回路部品にかかる電気的なストレスが小さくなるので、従来よりも耐圧性能や耐大電流性能の低い回路部品を用いることが可能となる。
【００４２】
本実施形態の無電極放電灯点灯装置では、図３に示すように、第１のコイル４ａと第２のコイル４ｂとの通電を、共振回路部２４の切替部２９（図２参照）で交互に切り替えることによって、第１のコイル４ａと第２のコイル４ｂとの一方に交互に上記高周波電流が通電され、第１のコイル４ａによる無電極放電灯１６の光出力と第２のコイル４ｂによる無電極放電灯１６の光出力とを交互に繰り返す。また、本実施形態の無電極放電灯点灯装置では、図３に示すように、第１のコイル４ａと第２のコイル４ｂとの一方に交互に所定の電力が供給されなくなった直後に、バルブ１の内壁面側に設けられた上記蛍光体膜による残光が発生する。したがって、本実施形態の無電極放電灯点灯装置は、切替部２９が、第１のコイル４ａと第２のコイル４ｂとの一方に交互に所定の電力を供給することによって、第１のコイル４ａおよび第２のコイル４ｂによる無電極放電灯１６の点灯中のちらつきを抑制し、且つ、無電極放電灯１６の発光効率を上昇させることが可能となる。
【００４３】
以下、本実施形態の無電極放電灯点灯装置を備えた照明器具の一例について、図４に基づいて説明する。なお、図１に示した構成の無電極放電灯点灯装置と同様の構成要素には同一の符号を付して説明する。
【００４４】
本実施形態の照明器具は、図４に示すように、平面視長方形状の主片３６ａと主片３６ａの長手方向の両端部を折曲してなる２つの側片３６ｂとを有する断面コ字状の器具本体３６と、器具本体３６内に収納される２つの無電極放電灯点灯装置１８とを備えている。
【００４５】
また、本実施形態の照明器具は、器具本体３６において、一端が主片３６ａの長手方向の両端部に連続する２つの側片３６ｂの他端には、器具本体３６の長手方向において互いに離れる方向に延出した鍔部３６ｃ，３６ｃが設けられており、ガラスなどで形成された透光性の板材３５が、２つの鍔部３６ｃ，３６ｃに当接する形で固定されている。なお、無電極放電灯点灯装置１８の主点灯回路部１４は、器具本体３６内に収納されている。また、各バルブ１は、器具本体３６に設けられた第１の保持具３２および第２の保持具３３によって固定されている。
【００４６】
したがって、本実施形態の無電極放電灯点灯装置１８を備えて照明器具を提供することができる。
【００４７】
以上説明した本実施形態の無電極放電灯点灯装置１８では、共振回路部２４の切替部２９で第１のコイル４ａと第２のコイル４ｂとの通電を交互に切り替えることによって、無電極放電灯１６の大型化や長尺化を図りながらも、無電極放電灯１６の安定な光出力が得られ、回路部品にかかる電気的なストレスが小さく、且つ、高い発光効率を維持することが可能となる。
【符号の説明】
【００４８】
１  バルブ
４  誘導コイル
１６  無電極放電灯
１８  無電極放電灯点灯装置
２９  切替部
【図１】
2012074154.tif 000003
【図２】
2012074154.tif 000004
【図３】
2012074154.tif 000005
【図４】
2012074154.tif 000006
【図５】
2012074154.tif 000007
【図６】
2012074154.tif 000008
【図７】
2012074154.tif 000009
【図８】
2012074154.tif 000010